Podtech/llm-jp-corpus-v4-ja_patent huggingface dataset:
【手続補正書】
【提出日】平成20年4月8日(2008.4.8)
【手続補正１】
【補正対象書類名】特許請求の範囲
【補正対象項目名】全文
【補正方法】変更
【補正の内容】
【特許請求の範囲】
【請求項１】
Ｇ２５０抗原を発現する癌の治療のための、Ｇ２５０抗原特異的抗体及び／又はその抗体フラグメントを含む医薬組成物又はキットであって、前記Ｇ２５０抗原特異的抗体及び／又はその抗体フラグメントが、アジュバント療法として、原発腫瘍を有した患者であって原発腫瘍切除と、必要に応じてリンパ節切除とを受けており、かつ／または原発腫瘍切除と、必要に応じてリンパ節切除とを受けることになっている患者に投与するためのものである医薬組成物又はキット。
【請求項２】
患者が、非転移性疾病と診断されている、請求項１記載の医薬組成物又はキット。
【請求項３】
患者が、再発の高いリスクを有すると診断されている、請求項１又は２記載の医薬組成物又はキット。
【請求項４】
原発腫瘍が、Ｇ２５０抗原を発現する腫瘍、特に腎臓の淡明細胞肉腫、子宮頸癌、胆癌、食道癌、結腸直腸癌及び肺癌から選択される腫瘍である、請求項１から３までのいずれか１項記載の医薬組成物又はキット。
【請求項５】
抗体及び／又はその抗体フラグメントが、ポリクローナル抗体、モノクローナル抗体、その抗原結合フラグメント、例えばＦ（ａｂ′）2、Ｆａｂ′、ｓＦｖ、ｄｓＦｖ及びそれらのキメラ化変異体、ヒト化変異体及び完全ヒト変異体からなる群から選択される、請求項１から４までのいずれか１項記載の医薬組成物又はキット。
【請求項６】
原発腫瘍が、ＴＮＭ分類によるＮ０及びＭ０として分類されている、請求項１から５までのいずれか１項記載の医薬組成物又はキット。
【請求項７】
原発腫瘍切除と、場合によりリンパ節切除との後に、如何なる残留腫瘍疾病の証拠がないとして診断されている、請求項６記載の医薬組成物又はキット。
【請求項８】
原発腫瘍が、ＴＮＭ分類によるＮ１及びＮ２として分類されている、請求項１から５までのいずれか１項記載の医薬組成物又はキット。
【請求項９】
原発腫瘍が、少なくともＧＩＩＩの核グレードを表す、請求項１から８までのいずれか１項記載の医薬組成物又はキット。
【請求項１０】
治療されるべき患者が、リスク群Ｉ、ＩＩ又はＩＩＩとして分類される、請求項１から９までのいずれか１項記載の医薬組成物又はキット。
【請求項１１】
Ｇ２５０抗原特異的抗体及び／又はその抗体フラグメントを、それを必要とする被験体に、少なくとも２段階の治療ステージであって異なる、有利には漸減する量の抗体を投与する治療ステージにおいて投与することを含む、請求項１から１０までのいずれか１項記載の医薬組成物又はキット。
【請求項１２】
Ｇ２５０抗原特異的抗体及び／又はその抗体フラグメントを、それを必要とする被験体に投与し、その際、
（ａ）１０〜２５０ｍｇ／週、有利には２０〜１００ｍｇ／週、より有利には２０〜５０ｍｇ／週、最も有利には５０ｍｇ／週のＧ２５０抗原特異的抗体の用量を第一治療ステージで投与すること、及び
（ｂ）５〜１００ｍｇ、有利には１０〜５０ｍｇ、より有利には１５〜２５ｍｇ、最も有利には２０ｍｇ／週の抗Ｇ２５０抗体の用量を第二治療ステージで投与すること
を含む、請求項１１記載の医薬組成物又はキット。
【請求項１３】
Ｇ２５０抗原特異的抗体及び／又は抗体フラグメントを静脈内経路を介して投与する、請求項１から１２までのいずれか１項記載の医薬組成物又はキット。
【請求項１４】
静脈内投与が、点滴であり、有利には約３０分まで、より有利には約１５分間の期間にわたり実施する、請求項１３記載の医薬組成物又はキット。
【請求項１５】
第一治療ステージが、１２週まで、有利には６週まで、より有利には１週までを含み、そして第二治療ステージが、１５６週まで、有利には１０４週まで、より有利には５２週まで、更により有利には１２〜２４週までを含む、請求項１１から１４までのいずれか１項記載の医薬組成物又はキット。
【請求項１６】
癌が、腎臓の淡明細胞肉腫である、請求項１から１５までのいずれか１項記載の医薬組成物又はキット。
【請求項１７】
抗体が、ｃＧ２５０又はハイブリドーマ細胞系統ＤＳＭ ＡＣＣ ２５２６によって産生される抗体である、請求項１６記載の医薬組成物又はキット。
【請求項１８】
第一治療ステージでの治療のためのＧ２５０抗原特異的抗体及び／又は抗体フラグメントを含有する第一組成物と、更に第二治療ステージでの治療のためのＧ２５０抗原特異的抗体及び／又はその抗体フラグメントを含有する第二組成物とを含む、請求項１から１７までのいずれか１項記載の医薬組成物又はキット。
【手続補正書】
【提出日】平成20年1月15日(2008.1.15)
【手続補正１】
【補正対象書類名】明細書
【補正対象項目名】０２９８
【補正方法】変更
【補正の内容】
【０２９８】
方法
実験設計
脳内注入のための細胞調製：C6細胞をPBSで2回洗浄し、3種類の濃度(1x104；1x105；1x106)で10 μLのPBSに懸濁し、ハミルトンシリンジで3グループの動物に接種した。
皮下注射用細胞調製品：C6細胞を生理食塩水で2回洗浄し、次の濃度で200 μLのPBSに再懸濁する：1x106、1.5x106および1.10x106。
脳内腫瘍接種：ラットを麻酔した後、頭部を剃り、消毒し、頭蓋骨を露出するために皮膚を切開した。動物を定位器具に置き、頭部を2つの耳道および上顎で固定した。頭蓋骨にドリルで穴を開け、ハミルトンシリンジで神経膠腫細胞を右線条体に次の座標にしたがって注射した：前側0.8 mm 、ブレグマの側方3.2 mmおよび骨の腹側4 mm。細胞注入後、神経学的臨床徴候の発症について動物をモニターした。
皮下腫瘍接種：12匹フィッシャーのおよび12匹のウィスター雄性ラット(4匹の動物／グループ、4−5週齢)に種々の濃度の細胞懸濁液を皮下注射した。
腫瘍塊の発達について、第3日から3−5日間ごとにすべての動物を審査した。カリパスによって腫瘍塊を測定し、腫瘍体積＝(Dxd2)/2［ここで、D＝最大直径、d＝最小直径］として腫瘍体積を計算した。
【手続補正２】
【補正対象書類名】明細書
【補正対象項目名】０３０２
【補正方法】変更
【補正の内容】
【０３０２】
（皮下腫瘍特徴決定）
ウィスター雄性ラットにおけるC6細胞の移植は、第6日から100%の動物に腫瘍の進行をもたらしたが、腫瘍の存在およびその体積は、移植後第17日から完全拒絶（第29日）まで急速に減少した。腫瘍再発の徴候のない状態で細胞接種後50日まで、すべての動物を追跡した。
フィッシャー雄性ラットにおけるC6細胞の移植は、10x106細胞動物については第3日から、5x106および1x106細胞動物については第5−8日から、100%の動物に腫瘍の進行をもたらした。しかし、腫瘍の存在およびその体積は、移植後第15日から完全拒絶（第28日）まで急速に減少した。腫瘍再発の徴候のない状態で細胞接種後35日まで、すべての動物を追跡した。
【手続補正３】
【補正対象書類名】明細書
【補正対象項目名】０３０４
【補正方法】変更
【補正の内容】
【０３０４】
（結論）
1x106個の神経膠腫細胞のラット線条体における同所性注入は細胞接種後2週間から、80 %の動物に脳腫瘍をもたらした。
この実験では、インビボMRI実験に適した脳腫瘍モデル、すなわち、
進行の初期段階における小さい腫瘍サイズ；
インビボMRIにより検出可能；
合理的な期間内（接種から2週間後）に得られる；
動物間で腫瘍サイズおよび組成が均質；
であることを得るために、最適実験条件が見出された：
【手続補正書】
【提出日】平成20年6月13日(2008.6.13)
【手続補正１】
【補正対象書類名】特許請求の範囲
【補正対象項目名】全文
【補正方法】変更
【補正の内容】
【特許請求の範囲】
【請求項１】
少なくとも1種の1,4-ブタンジオール、ガンマ-ブチロラクトン、及びテトラヒドロフランを生産するための方法であって、水素化可能な前躯体を、水素-含有気体と、及び水素化触媒で、二酸化チタンを含んでいる、少なくとも約70重量%の前記二酸化チタンがルチル結晶質相である触媒担体上での、パラジウム、ルテニウム、ロジウム、オスミウム、イリジウム及び白金からなる群より選ばれる周期表のVIII族の少なくとも1種の貴金属を備える水素化触媒とに、接触させて、触媒的に水素化する工程を含む、方法。
【請求項２】
水素化触媒がパラジウム及びレニウムを備える、請求項1の方法。
【請求項３】
水素化可能な前躯体が、マレイン酸、無水マレイン酸、フマル酸、無水こはく酸、こはく酸、こはく酸ジメチル、ガンマ-ブチロラクトン及びそれらの混合物からなる群より選ばれる、請求項1の方法。
【請求項４】
少なくとも1種の1,4-ブタンジオール、ガンマ-ブチロラクトン、及びテトラヒドロフランを生産するための方法であって、マレイン酸、無水マレイン酸、こはく酸、無水こはく酸又はそれらの混合物からなる群より選ばれる水素化可能な前躯体を、水素-含有気体と、及び水素化触媒で、二酸化チタンを含んでいる、少なくとも約90重量%の前記二酸化チタンがルチル結晶質相である触媒担体上での、パラジウム及びレニウムを備える水素化触媒とに、接触させて、触媒的に水素化する工程を含む、方法。
【請求項５】
方法を約50℃から約350℃までの温度で行い、水素-含有気体の圧力が約20及び400の間の気圧であり、及び接触時間が約0.1分及び20時間の間である、請求項4の方法。
【請求項６】
少なくとも1種の1,4-ブタンジオール、ガンマ-ブチロラクトン、及びテトラヒドロフランを生産するための方法であって、次の工程、即ち
(A)第1の水素化帯域及び第2の水素化帯域を連続して接続する工程、
(B)第1の水素化帯域に、マレイン酸、無水マレイン酸、フマル酸、及びそれらの混合物から選ばれる水素化可能な前躯体を備える供給流を提供する工程、
(C)第1の水素化帯域において、マレイン酸供給原料及び水素を、二酸化チタンを含んでいる、少なくとも約70重量%の前記二酸化チタンがルチル結晶質相である触媒担体上で、パラジウムを備える触媒と接触させて反応させ、こはく酸を含む反応生成物を生産する工程、
(D)第2の水素化帯域に、第1の水素化帯域の反応生成物を提供する工程、
(E)第2の水素化帯域において、第1の水素化帯域からの反応生成物及び水素を、二酸化チタンを含んでいる、少なくとも約70重量%の前記二酸化チタンがルチル結晶質相である触媒担体上での、パラジウム及びレニウムを備える触媒と接触させて反応させ、少なくとも1種の1,4-ブタンジオール、ガンマ-ブチロラクトン、及びテトラヒドロフランを含む生成物流を生産する工程
を備え、
マレイン酸を備える供給流の温度及び第1の水素化帯域の温度を、供給流及び第1の水素化帯域におけるマレイン酸の温度が約130℃を超えないように制御する、方法。
【請求項７】
工程(C)の触媒が、二酸化チタンを含んでいる、少なくとも約90重量%の前記二酸化チタンがルチル結晶質相である触媒担体上での、パラジウム及びレニウムを備え、及び工程(E)の触媒が、二酸化チタンを含んでいる、少なくとも約90重量%の前記二酸化チタンがルチル結晶質相である触媒担体上での、パラジウム及びレニウムを備える、請求項6の方法。
【請求項８】
少なくとも1種の1,4-ブタンジオール、ガンマ-ブチロラクトン、及びテトラヒドロフランを生産するための方法であって、次の工程、即ち
(A)第1の水素化帯域及び第2の水素化帯域を連続して接続する工程、
(B)第1の水素化帯域に、マレイン酸を含む供給流を提供する工程、
(C)第1の水素化帯域において、マレイン酸供給原料及び水素を、二酸化チタンを含んでいる、少なくとも約70重量%の前記二酸化チタンがルチル結晶質相である触媒担体上で、パラジウムを備える触媒と接触させて反応させ、こはく酸を含む反応生成物を生産する工程、
(D)第2の水素化帯域に、第1の水素化帯域の反応生成物を提供する工程、
(E)第2の水素化帯域において、第1の水素化帯域からの反応生成物及び水素を、次のいずれかのもの、
(a)触媒が、二酸化チタンを含んでいる、少なくとも約70重量%の前記二酸化チタンがルチル結晶質相である触媒担体上での、パラジウム及びレニウムを備え、
(b)触媒が炭素担体上のパラジウム及びレニウムを備え、少なくとも1種の1,4-ブタンジオール、ガンマ-ブチロラクトン、及びテトラヒドロフランを含む生成物流を生産し、又は
(c)触媒の(a)及び(b)の混合物
と接触させて反応させる工程
を備え、
マレイン酸を備える供給流の温度及び第1の水素化帯域の温度を、供給流及び第1の水素化帯域におけるマレイン酸の温度が約130℃を超えないように制御する、方法。
【請求項９】
こはく酸を生産するための方法であって、水素化可能な前躯体を触媒的に水素化する工程を備えており、マレイン酸、無水マレイン酸、フマル酸、マレイン酸エステル、及びそれらの混合物からなる群より選ばれる水素化可能な前躯体を、水素-含有気体と、及び水素化触媒で、二酸化チタンを含んでいる、少なくとも約70重量%の前記二酸化チタンがルチル結晶質相である触媒担体上での、パラジウム、ルテニウム、ロジウム、オスミウム、イリジウム及び白金からなる群より選ばれる周期表のVIII族の少なくとも1種の貴金属を備える水素化触媒とに、接触させて、触媒的に水素化する工程から選ばれる、方法。
【請求項１０】
触媒であって、二酸化チタンを含んでいる、少なくとも約70重量%の前記二酸化チタンがルチル結晶質相である触媒担体上での、パラジウム及びレニウムを備える、触媒。
【手続補正書】
【提出日】平成20年5月2日(2008.5.2)
【手続補正１】
【補正対象書類名】特許請求の範囲
【補正対象項目名】全文
【補正方法】変更
【補正の内容】
【特許請求の範囲】
【請求項１】
ａ）ｉ）溶媒混合物の全体積を基準にして、非水性溶媒約９５〜約０体積％、水約５〜約１００体積％を含んでなる溶媒混合物、
ｉｉ）Ｃ５〜Ｃ８アルドン酸、Ｃ５〜Ｃ８アルダル酸、およびＣ５〜Ｃ８アルダロラクトンから選択される１つもしくはそれ以上の化合物を含んでなる出発原料、
を含んでなる反応混合物を提供することと、
ｂ）場合により、反応混合物を加熱することと、
ｃ）減圧によって反応混合物から非水性溶媒を除去して、非水性溶媒を実質的に含有しない混合物を形成することと、
ｄ）場合により、非水性溶媒を実質的に含有しない混合物を固形分約１０〜約９０重量％の濃度に調節することと、
ｅ）加熱および場合により攪拌しながら、非水性溶媒を実質的に含有しない混合物に不活性ガスのストリームを通すことによって、非水性溶媒を実質的に含有しない混合物をスパージングすることと
を含んでなるラクトンまたはジラクトンの製造方法。
【請求項２】
溶媒混合物がアセトン、メチルエチルケトン、メタノール、エタノール、イソプロパノールおよびテトラヒドロフランから選択される少なくとも１つを含んでなる請求項３に記載の方法。
【請求項３】
溶媒混合物が溶媒混合物の全体積を基準にして、アセトンおよび１０〜９０体積％の水を含んでなる請求項３に記載の方法。
【請求項４】
反応混合物がグルコン酸、マンノン酸、ガラクトン酸、イドン酸、アロン酸、アルトロン酸、グロン酸、タロン酸、リボン酸、キシロン酸、アラボン酸、リキソン酸、グルカル酸、マンナル酸、ガラクタル酸、イダル酸、アラル酸、アルトラル酸、リバル酸、キシラル酸およびアラビナル酸から選択される１つもしくはそれ以上の酸を含んでなる請求項１に記載の方法。
【請求項５】
反応混合物がアルダル酸と、１つもしくはそれ以上の相当するアルダロラクトンまたはアルダロジラクトンとの平衡混合物、またはアルドン酸と、相当するアルドノラクトンとの平衡混合物を含んでなる請求項１に記載の方法。
【請求項６】
アルドン酸、アルダル酸またはアルダロラクトンがその鏡像異性立体配置におけるＤ、Ｌ、ラセミまたは非ラセミ混合物である請求項１に記載の方法。
【請求項７】
反応混合物が対称面を有し、したがってメソ形で存在するアルダル酸を含んでなる請求項１に記載の方法。
【請求項８】
アルドン酸、アルダル酸またはアルダロラクトンを、相当するその第Ｉ族塩、第ＩＩ族塩、またはアンモニウム塩、あるいは該塩の混合物から、その場で生成することをさらに含んでなる請求項１に記載の方法。
【請求項９】
塩がグルカル酸カルシウムである請求項８に記載の方法。
【請求項１０】
アルドン酸、アルダル酸またはアルダロラクトンが硫酸、ＨＣｌ、リン酸、ＨＦ、シュウ酸、トリフルオロ酢酸、または酸性陽イオン交換樹脂の添加によって、その場で生成される請求項８に記載の方法。
【請求項１１】
アルドン酸、アルダル酸またはアルダロラクトンがその場で生成される間に形成された沈殿物を除去することをさらに含んでなる請求項８に記載の方法。
【請求項１２】
溶媒混合物が水１０〜５０体積％と、アセトン、メチルエチルケトン、メタノール、エタノール、イソプロパノールおよびテトラヒドロフランから選択される少なくとも１つの非水性溶媒とを含んでなる請求項１に記載の方法。
【手続補正書】
【提出日】平成20年7月11日(2008.7.11)
【手続補正１】
【補正対象書類名】明細書
【補正対象項目名】０００９
【補正方法】変更
【補正の内容】
【０００９】
他の薬剤との組み合わせ、その結果として付加的な治療上利益の可能性を有するニコチン酸誘導体（例えばナイアシン）或いはフィブリン酸誘導体（フィブラート）の使用は、肝毒性のため制限されていた。高コレステロール血症、及び心血管疾患及び糖尿病などの関連障害を治療及び予防するための、有害な薬物反応を誘導せず、薬剤誘導性肝毒性を起こしやすい人に適した併用療法は現在ない。従って、現在の治療法の制限を打開する、ニコチン酸誘導体或いはフィブリン酸誘導体に関連した新しい薬学的組成物及び治療の方法に対するニーズがある。
この出願の発明に関連する先行技術文献情報としては、以下のものがある（国際出願日以降国際段階で引用された文献及び他国に国内移行した際に引用された文献を含む）。
【特許文献１】国際公開第２００１／５６６０９号パンフレット
【特許文献２】国際公開第２０００／５７８６３号パンフレット
【特許文献３】国際公開第２０００／５３６０６号パンフレット
【特許文献４】国際公開第２００１／６４６９２号パンフレット
【非特許文献１】Ｔｈｅ  Ｊｏｕｒｎａｌ  ｏｆ  Ｎｕｔｒｉｔｉｏｎ，  Ｖｏｌ．  １２７，Ｎｏ．１，  Ｊａｎｕａｒｙ  １９９７，  ＢＡＳＵ  ＥＴ  ＡＬ．，  "Ｖｉｔａｍｉｎ  Ｂ−６  Ｎｏｒｍａｌｉｚｅｓ  ｔｈｅ  Ａｌｔｅｒｅｄ  Ｓｕｌｆｕｒ  Ａｍｉｎｏ  Ａｃｉｄ  Ｓｔａｔｕｓ  ｏｆ  Ｒａｔｓ  Ｆｅｄ  Ｄｉｅｔｓ  Ｃｏｎｔａｉｎｉｎｇ  Ｐｈａｒｍａｃｏｌｏｇｉｃａｌ  Ｌｅｖｅｌｓ  ｏｆ  Ｎｉａｃｉｎ  ｗｉｔｈｏｕｔ  Ｒｅｄｕｃｉｎｇ  Ｎｉａｃｉｎ‘ｓ  Ｈｙｐｏｌｉｐｉｄｅｍｉｃ  Ｅｆｆｅｃｔｓ"，  ｐａｇｅｓ  １１７−１２１
【非特許文献２】Ａｍｅｒｉｃａｎ  Ｊｏｕｒｎａｌ  ｏｆ  Ｈｅａｌｔｈ−Ｓｙｓｔｅｍ  Ｐｈａｒｍａｃｉｓｔｓ，  Ｖｏｌ．  ６０，  Ｓｕｐｐｌ．  ２，  Ｊｕｌｙ  １，  ２００３ＩＴＯ，"Ａｄｖａｎｃｅｓ  ｉｎ  ｔｈｅ  ｕｎｄｅｒｓｔａｎｄｉｎｇ  ａｎｄ  ｍａｎａｇｅｍｅｎｔ  ｏｆ  Ｄｙｓｈｐｉｄｅｍｉａ：  Ｕｓｍｇ  ｎｉａｃｍ−ｂａｓｅｄ  ｔｈｒａｐｉｅｓ"，  Ｓ１５−Ｓ２１
【非特許文献３】Ｈｙｐｅｒｔｅｎｓｉｏｎ，  Ｖｏｌ  ３８，Ｎｏ．５，Ｎｏｖｅｍｂｅｒ  ２００１，  ＧＡＲＣＩＡ−ＴＥＶＵＩＡＮＯ  ＥＴ  ＡＬ．，"Ｈｙｐｅｒｈｏｍｏｃｙｓｔｅｉｎｅｍｉａ  ｉｎ  Ｌｉｖｅｒ  Ｃｉｒｒｈｏｓｉｓ：  Ｍｅｃｈａｎｉｓｍｓ  ａｎｄ  Ｒｏｌｅ  ｉｎ  Ｖａｓｃｕｌａｒ  ａｎｄ  Ｈｅｐａｔｉｃ  Ｆｉｂｒｏｓｉｓ"，  ｐａｇｅｓ  １２１７−１２２１
【手続補正書】
【提出日】平成20年6月11日(2008.6.11)
【手続補正１】
【補正対象書類名】特許請求の範囲
【補正対象項目名】全文
【補正方法】変更
【補正の内容】
【特許請求の範囲】
【請求項１】
（ａ）式１の化合物、３−ブロモ−Ｎ−［４−クロロ−２−メチル−６−［（メチルアミノ）カルボニル］フェニル］−１−（３−クロロ−２−ピリジニル）−１Ｈ−ピラゾール−５−カルボキサミド、そのＮ−オキシドまたは塩
【化１】
2008505121.tif 000001
と、
（ｂ１）ネオニコチノイド；
（ｂ２）コリンエステラーゼ阻害剤；
（ｂ３）ナトリウムチャンネルモジュレーター；
（ｂ４）キチン合成阻害剤；
（ｂ５）エクジソン作動薬；
（ｂ６）脂質生合成阻害剤；
（ｂ７）大環状ラクトン；
（ｂ８）ＧＡＢＡ調節クロリドチャンネルブロッカー；
（ｂ９）幼若ホルモン模倣物（ｍｉｍｉｃ）；
（ｂ１０）リアノジン受容体配位子；
（ｂ１１）オクトパミン受容体配位子；
（ｂ１２）ミトコンドリア電子伝達阻害剤；
（ｂ１３）ネライストキシン類似体；
（ｂ１４）ピリダリル；
（ｂ１５）フロニカミド；
（ｂ１６）ピメトロジン；
（ｂ１７）ジエルドリン；
（ｂ１８）メタフルミゾン；
（ｂ１９）生物剤；および
（ｂ１）〜（ｂ１８）の化合物の塩
よりなる群から選択される少なくとも１種の無脊椎有害生物防除剤である成分（ｂ）とを含んでなる混合物。
【請求項２】
成分（ｂ）が（ｂ１）ネオニコチノイドから選択される化合物である請求項１に記載の混合物。
【請求項３】
成分（ｂ）が（ｂ２）コリンエステラーゼ阻害剤から選択される化合物である請求項１に記載の混合物。
【請求項４】
成分（ｂ）が（ｂ３）ナトリウムチャンネルモジュレーターから選択される化合物である請求項１に記載の混合物。
【請求項５】
成分（ｂ）がジノテフラン、イミダクロプリド、ニテンピラム、チアクロプリド、チアメトキサム、メトミル、オキサミル、デルタメトリン、インドキサカルブ、ラムダ−シハロトリン、ヘキサフルムロン、ノバルロン、アバメクチン、スピノサド、フィプロニル、フェノキシカルブ、メトプレン、アミトラズ、クロフェナピル、ヒドラメチルノン、ピリダベン、カルタプ、フロニカミド、ピメトロジンおよびジエルドリンよりなる群から選択される請求項１に記載の混合物。
【請求項６】
成分（ｂ）が（ｂ１）、（ｂ２）、（ｂ３）、（ｂ４）、（ｂ５）、（ｂ６）、（ｂ７）、（ｂ８）、（ｂ９）、（ｂ１０）、（ｂ１１）、（ｂ１２）、（ｂ１３）、（ｂ１４）、（ｂ１５）、（ｂ１６）、（ｂ１７）、（ｂ１８）および（ｂ１９）よりなる２つの異なる群の各々から選択される少なくとも１種の無脊椎有害生物防除剤を含んでなる請求項１に記載の混合物。
【請求項７】
請求項１〜６のいずれか１項に記載の混合物の生物学的に有効な量ならびに界面活性剤、固体希釈剤および液体希釈剤よりなる群から選択される少なくとも１種の追加の成分を含んでなり、場合により少なくとも１種の追加の生物学的に活性な化合物または薬剤の有効量をさらに含んでなっていてもよい無脊椎有害生物の防除のための組成物。
【請求項８】
無脊椎有害生物またはその環境を請求項１〜６のいずれか１項に記載の混合物の生物学的に有効な量と接触させることを含んでなる無脊椎有害生物の防除方法。
【請求項９】
請求項１に記載の混合物、１種もしくはそれ以上の食物材料、場合により誘引剤、および場合により保湿剤を含んでなる餌料組成物。
【手続補正２】
【補正対象書類名】明細書
【補正対象項目名】００３１
【補正方法】変更
【補正の内容】
【００３１】
実施形態７．成分（ｂ）がアセフェート、アジンホス−メチル、クロルエトキシホス、クロルプラゾホス、クロルピリホス、クロルピリホス−メチル、クマホス、シアノフェンホス、デメトン−Ｓ−メチル、ジアジノン、ジクロルボス、ジメトエート、ジオキサベンゾホス、ジスルホトン、ジチクロホス、フェナミホス、フェニトロチオン、ホノホス、イソフェンホス、イソキサチオン、マラチオン、メタミドホス、メチダチオン、ミパホクス、モノクロトホス、オキシデメトン−メチル、パラチオン、パラチオン−メチル、ホレート、ホサロン、ホスメト、ホスファミドン、ホキシム、ピリミホス−メチル、プロフェノホス、ピラクロホス、キナルホス−メチル、スルプロホス、テメホス、テルブホス、テトラクロルビンホス、チクロホス、トリアゾホスおよびトリクロホンのようなオルガノホスフェート；ならびにアルジカルブ、アルドキシカルブ、ベンジオカルブ、ベンフラカルブ、ブトカルボキシム、カルバリル、カルボフラン、カルボスルファン、エチオフェンカルブ、フラチオカルブ、メチオカルブ、メトミル（ランネート（Ｌａｎｎａｔｅ）（登録商標））、オキサミル（ビデート（Ｖｙｄａｔｅ）（登録商標））、ピリミカルブ、プロポキスル、チオジカルブ、トリアザメートおよびキシリルカルブのようなカルバメートよりなる群から選択される実施形態６の混合物。
【手続補正書】
【提出日】平成20年4月1日(2008.4.1)
【手続補正１】
【補正対象書類名】特許請求の範囲
【補正対象項目名】全文
【補正方法】変更
【補正の内容】
【特許請求の範囲】
【請求項１】
インスリンで治療されていない2型糖尿病患者における神経因性疼痛の治療用の、アセチルL-カルニチンまたはその医薬上許容される塩の１つを含む医薬組成物。
【請求項２】
アセチルL-カルニチンの医薬上許容される塩が、クロリド、ブロミド、オロチン酸塩、酸アスパラギン酸塩、酸クエン酸塩、マグネシウムクエン酸塩、酸リン酸塩、フマル酸塩および酸フマル酸塩、マグネシウム フマル酸塩、乳酸塩、マレイン酸塩および酸マレイン酸塩、ムケート、酸シュウ酸塩、パモ酸塩、酸パモ酸塩、酸硫酸塩、グルコースリン酸塩、酒石酸塩、酸酒石酸塩、マグネシウム酒石酸塩、2-アミノ-エタンスルホン酸塩、マグネシウム 2-アミノ-エタンスルホン酸塩、コリン酒石酸塩およびトリクロロ酢酸塩からなる群から選択される、請求項 1の医薬組成物。
【請求項３】
アセチルL-カルニチンが1.5 g/日を超える用量で経口投与される、請求項 1の医薬組成物。
【請求項４】
アセチルL-カルニチンが3 g/日の用量で経口投与される、請求項 1の医薬組成物。
【手続補正書】
【提出日】平成20年7月1日(2008.7.1)
【手続補正１】
【補正対象書類名】特許請求の範囲
【補正対象項目名】全文
【補正方法】変更
【補正の内容】
【特許請求の範囲】
【請求項１】
リポソーム内に糖脂質を組み込むことによって、水性製剤中のカチオン性リポソームを安定化する方法。
【請求項２】
請求項１に記載のカチオン性リポソームを安定化する方法において、前記カチオン性脂質が、両親媒性第四アンモニウム化合物であることを特徴とする方法。
【請求項３】
請求項２に記載のリポソームを安定化する方法において、前記両親媒性第四アンモニウム化合物が、１本又は２本の脂肪鎖を有することを特徴とする方法。
【請求項４】
請求項２又は３に記載のリポソームを安定化する方法において、前記各脂肪鎖が、１２〜２０個の炭素原子を含むことを特徴とする方法。
【請求項５】
請求項４に記載のリポソームを安定化する方法において、前記両親媒性第四アンモニウム化合物が、ＤＤＡ−Ｂ、ＤＤＡ−Ｃ、ＤＤＡ−Ｘ、ＤＯＤＡ−Ｂ、ＤＯＤＡ−Ｃ、ＤＯＤＡ−Ｘ、ＤＯＴＡＰ、ＤＯＤＡＰ又はＤＯＴＭＡであることを特徴とする方法。
【請求項６】
請求項１から５のいずれか１項に記載のリポソームを安定化する方法において、前記糖脂質が、１つ又は２つの糖残基に結合した１本又は３本までの脂肪族炭化水素鎖から形成されるアシル化グリコシドであることを特徴とする方法。
【請求項７】
請求項６に記載のリポソームを安定化する方法において、前記糖脂質が、２本のアシル鎖を有する二糖であることを特徴とする方法。
【請求項８】
請求項６又は７に記載のリポソームを安定化する方法において、前記アシル鎖が、１５〜９０個の炭素原子を含むことを特徴とする方法。
【請求項９】
請求項８に記載のリポソームを安定化する方法において、糖脂質が、アルファ，アルファ’−トレハロース６，６’−ジベヘネート（ＴＤＢ）又はアルファ，アルファ’−トレハロース６，６’−ジミコレート（ＴＤＭ）であることを特徴とする方法。
【請求項１０】
請求項１から９のいずれか１項に記載のリポソームを安定化する方法において、特定の糖脂質のモル百分率が、０．５〜約９５モル％、好ましくは約２．５〜約２０モル％、より好ましくは約５〜約１８モル％であることを特徴とする方法。
【請求項１１】
請求項１から１０のいずれか１項に記載の方法により安定化されたリポソーム生成物。
【請求項１２】
請求項１１に記載のリポソーム生成物において、抗原性化合物がリポソームにカプセル化されていることを特徴とするリポソーム生成物。
【請求項１３】
薬物送達に使用することを特徴とする請求項１１又は１２に記載のリポソーム生成物。
【請求項１４】
アジュバントとして使用することを特徴とする請求項１２に記載のリポソーム生成物。
【請求項１５】
請求項１１に記載のリポソーム生成物を含むことを特徴とするワクチンアジュバント。
【請求項１６】
モノホスホリル脂質Ａ（ＭＰＬ）、モノホスホリル脂質Ａ（ＭＰＬ）の誘導体、ポリイノシンポリシチジル酸（ポリＩＣ）、ムラミールジペプチド（ＭＤＰ）、ムラミールジペプチド（ＭＤＰ）の類似体、ザイモサン、二本鎖ＲＮＡ（ｄｓＲＮＡ）、ＤＣ−Ｃｈｏｌ、ＣｐＧオリゴデオキシヌクレオチド、及びタモキシフェンからなる群から選択される免疫賦活剤をさらに含む請求項１５に記載のアジュバント。
【請求項１７】
ムラミールジペプチド（ＭＤＰ）及び／又はポリイノシンポリシチジル酸（ポリＩＣ）をさらに含む請求項１５又は１６に記載のアジュバント。
【請求項１８】
クラミジア、マラリア又は結核に対するワクチンで使用することを特徴とする請求項１５に記載のアジュバント。
【請求項１９】
請求項１５に記載のアジュバントを含むことを特徴とするクラミジア、マラリア又は結核に対するワクチン。
【請求項２０】
請求項１１に記載のリポソーム生成物を含むことを特徴とする送達システム。
【手続補正書】
【提出日】平成20年7月9日(2008.7.9)
【手続補正１】
【補正対象書類名】特許請求の範囲
【補正対象項目名】全文
【補正方法】変更
【補正の内容】
【特許請求の範囲】
【請求項１】
【化１】
2008505974.tif 000001
（式中、「Ｒ」はＣ１〜Ｃ４アルコキシを表し（該Ｒは環の４または５位にある）、
「ｎ」は整数０、１または２の一つを表し、
「Ｂ」はＨを表し、「Ａ」は−ＯＨ、−ＮＨ２またはＮＨＣＲ’を表し（Ｒ’はＣ１〜Ｃ４アルキルを表す）、「ＢＡ」は
【化２】
2008505974.tif 000002
を表す）
として定義された一つまたは複数の化学組成物または製薬学的に許容可能なそれらの塩の有効量の投与によってヒトおよび動物における不安を沈静および低減する方法。
【請求項２】
【化３】
2008505974.tif 000003
（式中、「Ｒ１」はＨおよびＯＣＨ３からなる群から選択され、
「Ｒ２」はＨおよびグルコース（グルコシドとして）からなる群から選択され、
「Ｒ３」はＨ、ＯＨおよびＯＣＨ３からなる群から選択される）
として定義された一つまたは複数の化学組成物または製薬学的に許容可能なそれらの塩の有効量の投与をさらに備える請求項１に記載の方法。
【請求項３】
前記化学組成物の一つは、
【化４】
2008505974.tif 000004
として定義された６−メトキシ−２，３−ベンゾキサゾリノンまたは製薬学的に許容可能なその塩を備える請求項１に記載の方法。
【請求項４】
前記化学組成物の一つは、
【化５】
2008505974.tif 000005
として定義された５−メトキシ−２，３−ベンゾキサゾリノンまたは製薬学的に許容可能なその塩を含む請求項１に記載の方法。
【請求項５】
前記投与される化学組成物は約５ｍｃｇ〜約６０ｍｇの１日投与量を備える請求項１〜４のいずれか１項に記載の方法。
【請求項６】
前記投与される化学組成物は、個々の体重に合わせて約５ｍｇ／ｋｇ〜約４０ｍｇ／ｋｇの１日投与量を備える請求項１〜４のいずれか１項に記載の方法。
【請求項７】
前記化学組成物の少なくとも一つは、植物を未成熟段階まで栽培し、該植物を収穫することによって、トウモロコシ、小麦、大麦、ライ麦、カラスムギ、イネ、ソルガム、アワ、タケ、ジュズダマ、大麦様の草、および野草からなる群から選択される一種または複数種の単子葉植物から得られる請求項１〜４のいずれか１項に記載の方法。
【請求項８】
前記収穫された植物が約４０℃〜約４５℃の範囲の温度で乾燥される請求項７に記載の方法。
【請求項９】
前記乾燥した収穫植物は、総量で１７．０ｍｇ／ｇｍ（乾燥重量）を超えるフェノールを含む請求項８に記載の方法。
【請求項１０】
前記乾燥した収穫植物は、４−ヒドロキシケイ皮酸および４−ヒドロキシ−３−メトキシケイ皮酸をそれらの総量で１．５ｍｇ／ｇｍ以下（乾燥重量）含む請求項８に記載の方法。
【請求項１１】
前記乾燥した収穫植物は未成熟トウモロコシ（Ｚｅａ  ｍａｙｓ）である請求項８に記載の方法。
【請求項１２】
前記未成熟トウモロコシは約４５ｃｍ〜約１２２ｃｍの高さまで成長している請求項１１に記載の方法。
【請求項１３】
前記未成熟トウモロコシは約３０ｃｍ〜約４５ｃｍを超えない高さまで成長している請求項１１に記載の方法。
【請求項１４】
前記未成熟トウモロコシは植付け後１０週間未満成長している請求項１１に記載の方法。
【請求項１５】
前記化学組成物は、（１）錠剤、カプセル剤、懸濁剤、液剤、および舌下投与形態を含む摂取に適した他の手段の形態による経口投与、（２）鼻腔内投与、（３）経粘膜投与、（４）皮下注、筋注、静注の形態による非経口投与、（５）持続放出のためのインプラント、および（６）経皮貼布からなる群から選択された様式で投与される請求項１〜４のいずれか１項に記載の方法。
【請求項１６】
一つまたは複数の化学組成物または製薬学的に許容可能なそれらの塩の製造方法であって、
一つ以上の該化学組成物の単子葉植物源を同定する工程と、
植付け後１０週間未満の期間、約４５ｃｍ〜約１２２ｃｍの高さまで該単子葉植物を栽培する工程と、
前記単子葉植物を収穫する工程と、
約４０℃〜約４５℃の範囲の温度で該単子葉植物源を乾燥させ、乾燥した収穫植物を生成する工程とを備える請求項１〜４のいずれか１項に記載の方法。
【請求項１７】
前記単子葉植物源は、トウモロコシ、小麦、大麦、ライ麦、カラスムギ、イネ、ソルガム、アワ、タケ、ジュズダマ、大麦様の草、および野草からなる群から選択される請求項１６に記載の方法。
【請求項１８】
前記単子葉植物は未成熟トウモロコシ（Ｚｅａ  ｍａｙｓ）である請求項１７に記載の方法。
【請求項１９】
前記乾燥した収穫植物は、総量で１７．０ｍｇ／ｇｍ（乾燥重量）を超えるフェノールを含む請求項１６に記載の方法。
【請求項２０】
前記乾燥した収穫植物は、４−ヒドロキシケイ皮酸および４−ヒドロキシ−３−メトキシケイ皮酸をそれらの総量で１．５ｍｇ／ｇｍ以下（乾燥重量）含む請求項１６に記載の方法。
【手続補正書】
【提出日】平成20年7月3日(2008.7.3)
【手続補正１】
【補正対象書類名】特許請求の範囲
【補正対象項目名】全文
【補正方法】変更
【補正の内容】
【特許請求の範囲】
【請求項１】
酸感受性色素および水を含む液体で歯科構造の表面を湿潤させる段階；及び
その上に組成物が塗布された歯科構造表面の部分に視覚的に確認可能な色の変化を生じさせるのに有効な条件下にて、湿潤歯科構造表面の少なくとも一部に組成物を塗布する段階；
を含む、歯科構造に組成物を塗布する方法であって、
前記組成物が、エッチング組成物、セルフエッチング接着剤、粘着性組成物、またはそれらの組み合わせである、方法。
【請求項２】
前記の視覚的に確認可能な色の変化が、色付きから本質的に無色への変化である、請求項１に記載の方法。
【請求項３】
前記酸感受性色素が、ローズベンガル、ブロモチモールブルー、メチルレッド、メチルオレンジ、エリトロシンＢ、エオシンＹ、およびそれらの組み合わせからなる群から選択される、請求項１に記載の方法。
【請求項４】
前記液体が酸感受性色素０．０００１〜５重量％を含有する、請求項１〜３のいずれか１項に記載の方法。
【請求項５】
前記非水性セルフエッチング接着剤が、酸性官能基を有するエチレン性不飽和化合物、酸性官能基を含有しないエチレン性不飽和化合物、および開始剤系を含む、請求項１〜４のいずれか１つに記載の方法。
【請求項６】
酸感受性色素および水を含む液体で歯科構造の表面を湿潤させる段階；
その上にセルフエッチング接着剤が塗布された歯科構造表面の部分に視覚的に確認可能な色の変化を生じさせるのに有効な条件下にて、湿潤歯科構造表面の少なくとも一部にセルフエッチング接着剤を塗布する段階；
前記歯科構造表面を乾燥させて、その上に第１接着剤層を形成する段階；
任意に、第１層上に第２接着剤を塗布して、その上に第２接着剤層を形成する段階；
その上に第１接着剤層および任意に第２接着剤層を有する歯科構造表面に歯科材料を適用する段階；及び
前記歯科材料と前記歯科構造との結合を形成するのに有効な条件下にて、接着剤層のうちの少なくとも１つを硬化する段階；
を含む、歯科構造に歯科材料を接着する方法。
【請求項７】
酸感受性色素および水を含む液体で歯科構造の表面を湿潤させる段階；
その上に粘着性組成物が塗布された歯科構造表面の部分に視覚的に確認可能な色の変化を生じさせるのに有効な条件下にて、湿潤歯科構造表面の少なくとも一部に粘着性組成物を塗布する段階；及び
粘着性組成物を硬化させる段階であって、硬化させた組成物と歯科構造との結合を形成するのに有効な少なくとも７ＭＰａの条件下にて粘着性組成物を硬化させる段階；
を含む、歯科構造を修復する方法。
【請求項８】
酸感受性色素および水を含む液体で歯の表面を湿潤させる段階；
その上に粘着性組成物が塗布された歯の表面の部分に視覚的に確認可能な色の変化を生じさせるのに有効な条件下にて、湿潤した歯の表面の少なくとも一部に粘着性組成物を塗布する段階；
その上に粘着性組成物が塗布された歯の表面に歯科矯正装置を取り付ける段階；及び
歯科矯正装置と歯との結合を形成するのに有効な条件下にて、粘着性組成物を硬化させる段階；
を含む、歯に歯科矯正装置を接着する方法。
【請求項９】
酸感受性色素および水を含む液体で歯の表面を湿潤させる段階；
その上に歯科矯正装置および粘着性組成物が適用された歯の表面の部分に視覚的に確認可能な色の変化を生じさせるのに有効な条件下にて、湿潤した歯の表面の少なくとも一部に、その上に粘着性組成物を有する歯科矯正装置を取り付ける段階；及び
歯科矯正装置と歯との結合を形成するのに有効な条件下にて、粘着性組成物を硬化させる段階；
を含む、歯に歯科矯正装置を接着する方法。
【請求項１０】
酸感受性色素を含む第１成分；及び
酸を含む第２成分；
を含む多成分歯科用組成物であって、前記第１成分と前記第２成分とを接触させることが、色の変化を生じさせるのに有効である、多成分歯科用組成物。
【請求項１１】
酸感受性色素を含む第１成分と酸を含む第２成分とを接触させることを含む、多成分歯科用組成物を使用する方法であって、接触が色の変化を生じさせるのに有効である、方法。
【請求項１２】
前記色の変化が、色付きから本質的に無色への変化である、請求項１１に記載の方法。
【請求項１３】
酸感受性色素と水とを含む液体；及び
歯科用エッチング組成物と、セルフエッチング接着剤と、粘着性組成物とのうちの１つまたは複数；
を備えるキット。
【手続補正書】
【提出日】平成20年7月7日(2008.7.7)
【手続補正１】
【補正対象書類名】特許請求の範囲
【補正対象項目名】全文
【補正方法】変更
【補正の内容】
【特許請求の範囲】
【請求項１】
水溶性の担体または希釈剤を含み、脂肪酸石鹸ベース、エッセンシャルオイル、及び重炭酸剤を含む、虫、ダニ、および真菌害虫を防除するための組成物。
【請求項２】
前記脂肪酸石鹸ベースが、保持されたグリセリンを含んだ少なくともひとつのサポニン化されたオイルを含む、請求項１に記載の組成物。
【請求項３】
前記脂肪酸石鹸ベースが、グリセリンを含んだ少なくともひとつの脂肪酸塩を含む、請求項１に記載の組成物。
【請求項４】
前記脂肪酸石鹸ベースが、約0.01体積％から約40体積％、約5体積％から約20体積％、または約10体積％から約15体積％で存在する、請求項１に記載の組成物。
【請求項５】
前記エッセンシャルオイルが、約0.01体積％から約40体積％、約5体積％から約10体積％、または約1体積％から約10体積％で存在する、請求項１に記載の組成物。
【請求項６】
さらに外来性グリセリンを約0.01体積％から約5体積％、または約2.0体積％で含む、請求項１に記載の組成物。
【請求項７】
前記重炭酸剤が重炭酸カリウムを含み、前記重炭酸カリウムが約0.02質量％から約3質量％、または約0.02質量％から約2.0質量％で含まれている、請求項１に記載の組成物。
【請求項８】
前記サポニン化されたオイルがサポニン化された植物オイルである、請求項２に記載の組成物。
【請求項９】
前記組成物内に、前記石鹸ベースが約1質量％から約15質量％で存在しており、前記エッセンシャルオイルが約0.01質量％から約5質量％で存在しており、さらに食用オイルが約1質量％から約10質量％で存在しており、さらに前記重炭酸剤が重炭酸塩を含み前記重炭酸塩が約0.02質量％から約2.0質量％で存在している、請求項１に記載の組成物。
【請求項１０】
前記エッセンシャルオイルと前記食用オイルが異なったオイルであり、それぞれが前記組成物内に約0.1質量％から約10質量％でまたは約1質量％から約10質量％で存在している、請求項９に記載の組成物。
【請求項１１】
前記エッセンシャルオイルがペパーミントおよびローズマリーのうちの少なくともひとつを含み、さらに前記食用オイルが綿種、大豆、およびなたねのうちの少なくともひとつを含み、さらに前記重炭酸剤が重炭酸カリウムを含み前記重炭酸カリウムが約2質量％で存在している、請求項１０に記載の組成物。
【請求項１２】
前記重炭酸剤が、重炭酸ナトリウム、重炭酸カリウム、および重炭酸アンモニウムから成る群から選択された少なくとも一つの物質を含む、請求項１に記載の組成物。
【請求項１３】
前記石鹸ベース及び前記エッセンシャルオイルがすべて有機的なものである、請求項１に記載の組成物。
【請求項１４】
前記脂肪酸塩がオレイン酸を含む、請求項３に記載の組成物。
【請求項１５】
さらに安定剤として作用するに十分な量のビタミンEを含む、請求項１に記載の組成物。
【請求項１６】
水溶性の担体または希釈剤を含み、非石油系の食用オイルおよび重炭酸剤を含む、ダニおよび真菌害虫を防除するための組成物。
【請求項１７】
前記非石油系の食用オイルが、約0.01体積％から約40体積％、約5体積％から約10体積％、または約1体積％から約10体積％で存在する、請求項１６に記載の組成物。
【請求項１８】
さらに外来性グリセリンを約0.01体積％から約5体積％、または約2.0体積％で含む、請求項１６に記載の組成物。
【請求項１９】
前記重炭酸剤が重炭酸カリウムを含み、前記重炭酸カリウムが約0.02質量％から約3質量％、または約0.02質量％から約2.0質量％で含まれている、請求項１６に記載の組成物。
【請求項２０】
前記組成物内に、前記非石油系の食用オイルが約0.01％から約20質量％、または約0.1質量％から約10質量％で存在しており、さらに前記重炭酸剤が重炭酸塩を含み前記重炭酸塩が約0.02質量％から約5.0質量％、または約0.02質量％から約2質量％で存在している、請求項１６に記載の組成物。
【請求項２１】
前記非石油系の食用オイルが、大豆、綿種、およびなたねから成る群から選択された少なくともひとつを含む、請求項１６に記載の組成物。
【請求項２２】
前記非石油系の食用オイルが有機的なものである、請求項１６に記載の組成物。
【請求項２３】
虫、ダニ、および真菌害虫を単一の組成物で防除する方法で；
前記方法が、少なくともひとつの害虫または前記少なくともひとつの害虫により敏感な植物の表面あるいはその一部に、殺虫目的で効果的な量の請求項１〜２２のいずれかに記載の組成物を接触させることを含み、単一組成物において虫、ダニ、および真菌害虫の防除が可能となっていることを特徴とする方法。
【請求項２４】
少なくともひとつの害虫が、ダニおよび真菌から成る群から選択された少なくともひとつのものであり、さらに殺虫目的で効果的な量が、殺ダニおよび殺真菌の目的で効果的な量のうち少なくともひとつを意味している、請求項２３に記載の方法。
【請求項２５】
接触が複数回の接触を含む、請求項２３に記載の方法。
【手続補正書】
【提出日】平成20年3月24日(2008.3.24)
【手続補正１】
【補正対象書類名】特許請求の範囲
【補正対象項目名】全文
【補正方法】変更
【補正の内容】
【特許請求の範囲】
【請求項１】
カテキン調製物を含む組成物とケージまたは畜舎の表面を接触させる工程を含む、該表面上の感染性ＳＡＲＳウイルスの数を減少させる方法であって、カテキン調製物が、少なくとも２ｌｏｇ１０単位、感染性ＳＡＲＳウイルスの数を減少させるのに有効な濃度で存在する方法。
【請求項２】
カテキン調製物を含む組成物と動物の表面を接触させる工程を含む、該表面上の感染性ＳＡＲＳウイルスの数を減少させる方法であって、カテキン調製物が、少なくとも２ｌｏｇ１０単位、感染性ＳＡＲＳウイルスの数を減少させるのに有効な濃度で存在する方法。
【請求項３】
カテキン調製物が、エステル化カテキンおよびガロイルカテキンのうちの少なくとも一つを主に含む、請求項２に記載の方法。
【請求項４】
カテキン調製物が、緑茶抽出物、緑茶抽出物粉末、および緑茶濃縮物からなる群より選択される成分を含む、請求項２に記載の方法。
【請求項５】
表面を接触させる工程が、カテキン調製物を表面に噴霧することを含む、請求項２に記載の方法。
【請求項６】
カテキン調製物が、少なくとも３．５ｌｏｇ１０単位、感染性ＳＡＲＳウイルスの数を減少させるのに有効な濃度で存在する、請求項２に記載の方法。
【請求項７】
緑茶由来の近天然のカテキン調製物を含む組成物とウイルス担体を接触させることを含む、エクスビボのＳＡＲＳウイルスの蔓延を減少させる方法であって、カテキン調製物が、少なくとも２ｌｏｇ１０単位、ＳＡＲＳを不活化する濃度で存在する方法であって、該ウイルス担体が下記の群より選ばれる方法；
（１）  動物、
（２）  寝具表面、
（３）  衣服表面、及び
（４）  医療機器表面。
【請求項８】
近天然のカテキン調製物が、緑茶抽出物、緑茶抽出物粉末、および緑茶濃縮物からなる群より選択される、請求項７に記載の方法。
【請求項９】
カテキン調製物が、少なくとも３．５ｌｏｇ１０単位、ＳＡＲＳを不活化する濃度で存在する、請求項８に記載の方法。
【請求項１０】
ウイルス担体が動物であり、および担体を接触させる工程が、カテキン調製物を動物に噴霧することを含む、請求項７に記載の方法。
【請求項１１】
製剤が表面に適用された場合に、少なくとも２ｌｏｇ１０単位、ＳＡＲＳを不活化するのに有効な濃度でカテキンを含む液体または粉末の製剤、および製剤を表面に適用し、これにより表面上の感染性ＳＡＲＳウイルスの数を減少させるための説明書を含むキット。
【請求項１２】
製剤が、粉末製剤である、請求項１１に記載のキット。
【請求項１３】
カテキンが、カテキン混合物の一部として製剤中に存在する、請求項１１に記載のキット。
【請求項１４】
カテキン混合物が、緑茶抽出物、緑茶抽出物粉末、および緑茶濃縮物からなる群より選択される、請求項１３に記載のキット。
【請求項１５】
カテキンが、少なくとも３．５ｌｏｇ１０単位、ＳＡＲＳを不活化するのに有効な濃度で存在する、請求項１１に記載のキット。
【手続補正書】
【提出日】平成20年6月18日(2008.6.18)
【手続補正１】
【補正対象書類名】特許請求の範囲
【補正対象項目名】全文
【補正方法】変更
【補正の内容】
【特許請求の範囲】
【請求項１】
感染した動物におけるＨＩＶ感染の症状または影響を予防するための組成物であって、薬学的に受容可能なビヒクルと組み合わせてＮＲＴＩの有効量を含有する局所処方の予防有効量を含む、組成物。
【請求項２】
前記ＮＲＴＩが、［２−（６−アミノ−プリン−９−イル）−１−メチル−エトキシメチル］−ホスホン酸ジイソプロポキシカルボニルオキシメチルエステル（テノホビル）またはそれらの生理学的な機能誘導体を含有する、請求項１に記載の組成物。
【請求項３】
前記処方が、約０．２〜約２重量パーセントのテノホビルを含有する、請求項２に記載の組成物。
【請求項４】
前記ＮＲＴＩが、テノホビルの生理学的な機能誘導体を含有し、該誘導体が、以下の構造を有する、請求項１に記載の組成物：
【化１】
2008505902.tif 000001
ここで、Ｒ１およびＲ２は、別個に、Ｈ、Ｃ１〜Ｃ６アルキル、Ｃ１〜Ｃ６置換アルキル、Ｃ６〜Ｃ２０アリール、Ｃ６〜Ｃ２０置換アリール、Ｃ６〜Ｃ２０アリールアルキル、Ｃ６〜Ｃ２０置換アリールアルキル、アシルオキシメチルエステル−ＣＨ２ＯＣ（＝Ｏ）Ｒおよびアシルオキシメチルカーボネート−ＣＨ２Ｏ（＝Ｏ）ＯＲ９から選択され、ここで、Ｒ９は、Ｃ１〜Ｃ６アルキル、Ｃ１〜Ｃ６置換アルキル、Ｃ６〜Ｃ２０アリールまたはＣ６〜Ｃ２０置換アリールである；
Ｒ３は、Ｈ、Ｃ１〜Ｃ６アルキル、Ｃ１〜Ｃ６置換アルキル、またはＣＨ２ＯＲ８であり、ここで、Ｒ８は、Ｃ１〜Ｃ６アルキル、Ｃ１〜Ｃ６ヒドロキシアルキルまたはＣ１〜Ｃ６ハロアルキルである；
Ｒ４およびＲ５は、別個に、Ｈ、ＮＨ２、ＮＨＲおよびＮＲ２から選択され、ここで、Ｒは、Ｃ１〜Ｃ６アルキルである；そして
Ｒ６およびＲ７は、別個に、ＨおよびＣ１〜Ｃ６アルキルから選択される、
組成物。
【請求項５】
ＮＲＴＩと、局所適用に適当な薬学的に受容可能な媒体とを含有する、医薬処方物。
【請求項６】
［２−（６−アミノ−プリン−９−イル）−１−メチル−エトキシメチル］−ホスホン酸ジイソプロポキシカルボニルオキシメチルエステル（テノホビル）またはそれらの生理学的な機能誘導体と、局所適用に適当な薬学的に受容可能な媒体とを含有する、医薬処方物。
【請求項７】
前記ＮＲＴＩが、テノホビルの生理学的な機能誘導体を含有し、該誘導体が、以下の構造を有する、請求項５に記載の処方物：
【化２】
2008505902.tif 000002
ここで、Ｒ１およびＲ２は、別個に、Ｈ、Ｃ１〜Ｃ６アルキル、Ｃ１〜Ｃ６置換アルキル、Ｃ６〜Ｃ２０アリール、Ｃ６〜Ｃ２０置換アリール、Ｃ６〜Ｃ２０アリールアルキル、Ｃ６〜Ｃ２０置換アリールアルキル、アシルオキシメチルエステル−ＣＨ２ＯＣ（＝Ｏ）Ｒおよびアシルオキシメチルカーボネート−ＣＨ２Ｏ（＝Ｏ）ＯＲ９から選択され、ここで、Ｒ９は、Ｃ１〜Ｃ６アルキル、Ｃ１〜Ｃ６置換アルキル、Ｃ６〜Ｃ２０アリールまたはＣ６〜Ｃ２０置換アリールである；
Ｒ３は、Ｈ、Ｃ１〜Ｃ６アルキル、Ｃ１〜Ｃ６置換アルキル、またはＣＨ２ＯＲ８であり、ここで、Ｒ８は、Ｃ１〜Ｃ６アルキル、Ｃ１〜Ｃ６ヒドロキシアルキルまたはＣ１〜Ｃ６ハロアルキルである；
Ｒ４およびＲ５は、別個に、Ｈ、ＮＨ２、ＮＨＲおよびＮＲ２から選択され、ここで、Ｒは、Ｃ１〜Ｃ６アルキルである；そして
Ｒ６およびＲ７は、別個に、ＨおよびＣ１〜Ｃ６アルキルから選択される、
処方物。
【請求項８】
請求項５〜７に記載のゲル処方物。
【請求項９】
請求項５〜７に記載のクリーム処方物。
【請求項１０】
請求項５〜７に記載の発泡体処方物。
【請求項１１】
請求項５〜７に記載の座薬処方物。
【請求項１２】
請求項５〜７に記載の処方物で被覆されたコンドーム。
【手続補正書】
【提出日】平成20年6月27日(2008.6.27)
【手続補正１】
【補正対象書類名】特許請求の範囲
【補正対象項目名】全文
【補正方法】変更
【補正の内容】
【特許請求の範囲】
【請求項１】
下記化学式により表される組成物であって、
【化１】
2008505932.tif 000001
式中、Ｍは、周期律表の４族から選択される遷移金属であり、
各Ｒ１は、水素、ヒドロカルビル、置換ヒドロカルビルおよび官能基からなる群から独立して選択され、任意の２個のＲ１基は連結されてもよく、前記２個のＲ１基が連結される場合、ＭがＺｒであると、前記２個のＲ１基はブタジエン基を形成せず、
各Ｒ２は、メチル、エチル、プロピル、ブチル、ペンチル、ヘキシルおよびこれらの異性体からなる群から独立して選択され、
各Ｒ７は水素であり、
各Ｒ８は、水素、メチル、エチル、プロピル、ブチル、ペンチル、ヘキシルおよびこれらの異性体からなる群から独立して選択され、
各Ｒ９は、水素、ヒドロカルビル、置換ヒドロカルビルおよび官能基からなる群から独立して選択され、２個のＲ９基は連結して環を形成してもよく、Ｒ９とＲ８とは連結して環を形成してもよく、Ｒ９とＲ１６とは連結して環を形成してもよく、Ｒ９とＲ１１とは連結して環を形成してもよく、
ｃは０か１または２であり、
Ｒ１０は−Ｍ２（Ｒ１６）ｈ−であり、式中、Ｍ２はＢ、Ａｌ、Ｎ、Ｐ、ＳｉまたはＧｅであり、ｈはＭ２の原子価が満たされるような整数１か２であり、Ｒ１６は、水素、ヒドロカルビル、置換ヒドロカルビルまたは官能基であり、２個のＲ１６基は連結して環を形成してもよく、
ｄは０か１または２であり、
Ｒ１１は、水素、ヒドロカルビル、置換ヒドロカルビルおよび官能基からなる群から独立して選択され、２個のＲ１１基は結合して環を形成してもよく。Ｒ１１とＲ８とは連結して環を形成してもよく。Ｒ１１とＲ１６とは連結して環を形成してもよく、
ｅは０か１または２であり、
式中、ｃ，ｄおよびｅの和は１か２または３である、
組成物。
【請求項２】
前記組成物が、下記化学式の一つにより表され、
【化２】
2008505932.tif 000002
式中、Ｍｅはメチルであり、Ｈｆはハフニウムであり、Ｐｈはフェニルであり、Ｓｉは珪素である請求項１の組成物。